(57)【要約】【課題】簡単な構成で、サイドレールを掴み易くして、ベッド使用者がベッドを使用する際やベッドから離れる際に、姿勢を変化させる動作を安定して行うことができるサイドレールの構造を提供する。【解決手段】ベッド（１）のマットレス（２）の側部に設けられるサイドレール（４）の構造において、サイドレール（４）は、ベッド（１）の長手方向の側部のベッド使用者（Ｐ）の上体部側に設けられ、サイドレール（４）のフット側端部（４ａ）をベッド内側に円弧状に湾曲して形成した湾曲部（４１）が構成されるとともに、その湾曲部（４１）が把持可能に構成され、かつ、フット側端部（４ａ）の先端に向かうに連れて、マットレス（２）の床面に対して低くなるように構成されることを特徴とするものである。【選択図】図１
2015123175.tif 000002
【特許請求の範囲】
【請求項１】
ベッドの側部に設けられるサイドレールの構造において、
前記サイドレールは、ベッドの長手方向の側部のベッド使用者の上体部側に設けられ、
前記サイドレールの反頭部側の端部がベッド内側に向いた形状に構成されるとともに、その端部が把持可能に構成されることを特徴とするサイドレールの構造。
【請求項２】
前記端部は、先端に向かうに連れて低くなるように構成されることを特徴とする請求項１に記載のサイドレールの構造。
【請求項３】
前記ベッドは、長手方向の側部の中央部付近が頭部側よりも幅方向が狭くなるように構成され、
前記サイドレールは、反頭部側の端部が前記ベッドの形状に沿ってベッド内側に向いた形状に構成されることを特徴とする請求項１または２に記載のサイドレールの構造。
【発明の詳細な説明】
【技術分野】
【０００１】
本発明は、サイドレールの構造に係り、特に、ベッドの側部に設けられるサイドレールの構造に関する。
【背景技術】
【０００２】
従来から、病院等で使用される医療用ベッド、施設や在宅等の介護で使用される介護用ベッドや家庭用ベッドには、ベッド使用者及び寝具等がベッドから落下することを防止するため、両側部に側柵（以下、サイドレールという）が取り付けられている。このサイドレールは、通常、ベッドのサイドフレームに脱着可能に取り付けられており、不要なときには取り外すことができるようになっている（特許文献１を参照）。
【０００３】
一般に、サイドレールの長さはベッドの側部の長さよりも短く形成されており、必要に応じて一方の側部に複数個のサイドレールが取り付けられる。
【０００４】
例えば、ベッド使用者がベッドに乗り降りする際にサイドレールが邪魔にならないように、ベッドの乗り降りするサイド側においては、サイドレールを上体部側に装着して、足下側には装着しないといった使用の仕方もある。
【０００５】
しかしながら、ベッド使用者がベッド上で仰臥位から上体を起こす際にサイドレールを利用する場合は、サイドレールを掴んで上体を引き起こす必要があるが、特許文献１の構成では、サイドレールがベッドのサイドフレームに沿って構成されているため、ベッドの幅が広いと手が届かない、また、ベッドの幅が狭いと力を入れ難いという問題が生じる。
【０００６】
そこで、上記問題の対策として、サイドレールにグリップを設けてサイドレールを掴み易くするようにしたものが提案されている（特許文献２を参照）。
【先行技術文献】
【特許文献】
【０００７】
【特許文献１】特開２００５−１５２０５７号公報
【特許文献２】特開２０１１−１９９１３号公報
【発明の概要】
【発明が解決しようとする課題】
【０００８】
しかしながら、特許文献２の構成では、グリップがサイドレールの略中央部の上部に設けられている場合、ベッド使用者が立位から端座位に姿勢を変えるときや、端座位から仰臥位に姿勢を変えるときに、グリップがベッド使用者の身体から遠い位置になるため、安定した姿勢が取りにくいという問題が生じる。
【０００９】
本発明は、上記従来の問題点に鑑みてなされたものであって、簡単な構成で、サイドレールを掴み易くして、ベッド使用者がベッドを使用する際やベッドから離れる際に、姿勢を変化させる動作を安定して行うことができるサイドレールの構造を提供することを目的とする。
【課題を解決するための手段】
【００１０】
上述した課題を解決するための本発明に係るサイドレールの構造は、次の通りである。
【００１１】
本発明は、ベッドの側部に設けられるサイドレールの構造において、前記サイドレールを、ベッドの長手方向の側部のベッド使用者の上体部側に設け、前記サイドレールの反頭部側の端部（ベッド使用者が仰臥位から端座位に移行する際の端座位側の端部）をベッド内側に向いた形状に構成するとともに、その端部を把持可能に構成することを特徴とするものである。
【００１２】
また、本発明は、前記端部を、先端に向かうに連れて低くなるように、すなわちベッドの床面に対して低くなるように構成することが好ましい。
【００１３】
また、本発明は、前記ベッドの構成を、長手方向の側部の中央部付近が頭部側よりも幅方向が狭くなる形状、例えば、内側に凹んだ形状として、前記サイドレールを、反頭部側の端部が前記ベッドの形状に沿ってベッド内側に向いた形状に構成することが好ましい。
【発明の効果】
【００１４】
本発明のサイドレールの構造によれば、ベッドの側部に設けられるサイドレールの構造において、前記サイドレールをベッドの長手方向の側部のベッド使用者の上体部側に設け、前記サイドレールの反頭部側の端部をベッド内側に向いた形状に構成するとともに、その端部を把持可能に構成することで、簡単な構成で、サイドレールを掴み易くして、ベッド使用者がベッドを使用する際やベッドから離れる際に、姿勢を変化させる動作を安定して行うことができるサイドレールの構造を実現できる。
【００１５】
また、本発明によれば、前記端部を、先端に向かうに連れて低くなるように構成することで、姿勢を変化させる際にサイドレールの端部が邪魔になることがなく、さらに、ベッド使用者の姿勢に合せて把持する位置を最適な位置にすることができる。これにより、姿勢を変化させる動作を安定して行うことができる。
【００１６】
また、本発明によれば、前記ベッドの構成を、長手方向の側部の中央部付近が頭部側よりも幅方向が狭くなる形状として、前記サイドレールを、反頭部側の端部が前記ベッドの形状に沿ってベッド内側に向いた形状に構成することで、ベッド使用者が端座位の状態におけるベッド側端より外側に端部が位置するため、ベッド使用者が仰臥位から端座位に姿勢を変えるとき、端座位から立位に姿勢を変えるとき、またはその逆に姿勢を変えるときに、前記サイドレールを掴み易くできるので、姿勢を変化させる動作を安定して行うことができる。
【図面の簡単な説明】
【００１７】
【図１】本発明の第１実施形態に係るサイドレールの構造を備えたベッドの概略の構成を示す説明図である。
【図２】前記ベッドの側面図である。
【図３】図２のフット側から見た側面図である。
【図４】第１実施形態のサイドレールの構造を示す平面図である。
【図５】図４のＡ矢視図である。
【図６】図５のＢ矢視図である。
【図７】第１実施形態のサイドレールを利用するベッド使用者とサイドレールの位置関係を示す説明図である。
【図８】前記ベッド使用者とサイドレールの位置関係を示す平面図である。
【図９】本発明の第２実施形態に係るサイドレールの構造を備えたベッドの構成を示す説明図である。
【図１０】本発明の第３実施形態に係るサイドレールの構造を備えたベッドの構成を示す説明図である。
【図１１】本発明の第４実施形態に係るサイドレールの構造を備えたベッドの構成を示す説明図である。
【図１２】前記サイドレールをベッド下方に格納した状態を示す説明図である。
【発明を実施するための形態】
【００１８】
（第１実施形態）
以下、本発明のサイドレールの構造を実施するための形態について図面を参照して詳細に説明する。
図１は本発明を実施する形態の一例であって、本発明の第１実施形態に係るサイドレールの構造を備えたベッドの概略の構成を示す説明図、図２は前記ベッドの側面図、図３は図２のフット側から見た側面図である。
【００１９】
第１実施形態は、図１，図２に示すように、マットレス２と、マットレス２が載置されるベッドフレーム３とを備え、マットレス２の側部にサイドレール４が設けられたベッド１において、本発明の特徴的なサイドレールの構造を採用したものである。
【００２０】
ベッド１のヘッド側とフット側には、それぞれヘッドボード５，フットボード６が設けられている。
【００２１】
マットレス２は、ヘッド側からフット側に沿った方向に長い矩形状に形成されている。
【００２２】
サイドレール４は、図１に示すように、ベッド１の長手方向の側部のヘッド側から中央部付近にわたり、ベッド使用者Ｐの上体部に対応するように設けられている。そして、サイドレール４は、図２，図３に示すように、支持部材（ブラケット）７によりベッドフレーム３の側面に取付けられている。
【００２３】
支持部材７は、サイドレール４の下部の長手方向の中央部を支持するように構成されている。
【００２４】
ここで、第１実施形態の特徴的なサイドレール４の構造について図面を参照して詳細に説明する。
図４は第１実施形態のサイドレールの構造を示す平面図、図５は図４のＡ矢視図、図６は図５のＢ矢視図である。
【００２５】
第１実施形態のサイドレール４は、図１，図４に示すように、サイドレール４のフット側（反頭部側）の端部（以下、「フット側端部」と称する。）４ａをベッド内側に向けて形成した湾曲部４１が構成されている。湾曲部４１は把持可能に構成される。
【００２６】
第1実施形態では、湾曲部４１は、円弧状に湾曲して、フット側端部４ａの先端に向かうに連れて、マットレス２の床面に対して低くなるように構成されている。第１実施形態では、湾曲部４１は先端に向かうに連れて円弧状に低くなるように形成されている。
【００２７】
また、サイドレール４は、図２，図５に示すように、開口部４ｂがヘッド側からフット側にわたり長く上部寄りに形成されている。サイドレール４の上端縁４ｃは、開口部４ｂの上部輪郭をなし、ベッド使用者Ｐ等により把持可能な形状や把持に適した形状を呈している。上端縁４ｃの断面形状は、例えば、円形状や楕円形状、また、不均一な輪郭を持つ断面形状であってもよく、断面形状は限定されない。
【００２８】
サイドレール４の上端縁４ｃは、湾曲部４１においては、図３，図６に示すように、フット側端部４ａの先端に向かうに連れて、マットレス２の床面に対して低くなるように円弧状に構成され、かつ、ベッド使用者Ｐ等が把持可能に構成される。
【００２９】
湾曲部４１における開口部４ｂは、図３，図６に示すように、フット側端部４ａの先端に向かうに連れて、マットレス２の床面に対して低くなるように構成されている。
【００３０】
次に、第１実施形態のサイドレール４を利用してベッド使用者が姿勢を変える動作について図面を参照して説明する。
図７は第１実施形態のサイドレールを利用するベッド使用者とサイドレールの位置関係を示す説明図、図８は前記ベッド使用者とサイドレールの位置関係を示す平面図である。
【００３１】
ベッド使用者Ｐがベッド１上で仰臥位から端座位に姿勢を移行する場合は、図１に示す状態から、ベッド使用者Ｐはサイドレール４の湾曲部４１の掴み易い位置を握って上体を起こすことができる。
【００３２】
このとき、サイドレール４の湾曲部４１は、ベッド内側に向かい湾曲しているため、ベッド使用者Ｐが手を伸ばして届き易く掴み易い向きになっている。
【００３３】
そして、ベッド使用者Ｐは、湾曲部４１を掴んで上体を支えながらサイドレール４のフット側端部４ａ側から足を下ろして、図７に示すように端座位の姿勢に容易に移行することができる。このとき、ベッド使用者Ｐは、湾曲部４１の任意の位置やサイドレール４の上端縁４ｃを掴んで上体を支えることもできる。
【００３４】
さらに、サイドレール４のフット側端部４ａがベッド内側に向かい湾曲しているので、ベッド使用者Ｐの動作を邪魔することなく、容易に次の姿勢へ移行することができる。
【００３５】
ベッド使用者Ｐが端座位から立位に姿勢を移行する場合は、サイドレール４の上端縁４ｃを掴んで上体を支えながら容易に起ち上がることができる。
【００３６】
なお、ベッド使用者Ｐの前述した動作の逆の動作、すなわちベッド使用者Ｐが立位から端座位に姿勢を移行して、さらに端座位から仰臥位に姿勢を移行する場合は、先の動作を逆に行い、サイドレール４の湾曲部４１の最適な位置を掴むことで姿勢を安定させて行うことができる。
【００３７】
以上のように構成したので、第１実施形態によれば、ベッド１の側部に設けられるサイドレール４の構造において、サイドレール４をベッド１の長手方向の側部のベッド使用者Ｐの上体部側に設け、サイドレール４のフット側端部４ａをベッド内側に湾曲した形状に形成して湾曲部４１を構成し、湾曲部４１を把持可能に構成することで、簡単な構成で、サイドレール４を掴みし易くして、ベッド使用者Ｐがベッド１を使用する際やベッドから離れる際に、姿勢を変化させる動作を安定して行うことができる。
【００３８】
また、第１実施形態によれば、サイドレール４の湾曲部４１をフット側端部４ａの先端に向かうに連れて低くなるように円弧状に構成することで、掴む位置の高さや向きが予め用意されているので、ベッド使用者Ｐは掴み易い位置でサイドレールを掴むことができる。
【００３９】
（第２実施形態）
次に、本発明の第２実施形態について図面を参照して説明する。
図９は本発明の第２実施形態に係るサイドレールの構造を備えたベッドの構成を示す説明図である。
【００４０】
第２実施形態は、図９に示すように、マットレス２０２と、マットレス２０２の側部にサイドレール２０４が設けられたベッド２００において、マットレスの形状に対応して、本発明の特徴的なサイドレールの構造を採用したものである。
【００４１】
マットレス２０２は、図９に示すように、長手方向の側部の中央部付近の幅方向寸法Ｗ２がヘッド側の幅方向寸法Ｗ１よりも狭くなるように構成されている。
【００４２】
具体的には、マットレス２０２は、ベッド使用者Ｐの上体部が位置するヘッド側から中央部付近までの上部２０２ａが幅方向寸法Ｗ１で形成され、中央部付近からフット側にいたる下部２０２ｂが幅方向寸法Ｗ１よりも狭い幅方向寸法Ｗ２で形成されている。
【００４３】
マットレス２０２の上部２０２ａの中央部付近の角部２０２ａ１が略円弧状に形成されている。
【００４４】
サイドレール２０４は、図９に示すように、ベッド２００の長手方向の側部のヘッド側から中央部付近にわたり、ベッド使用者Ｐの上体部に対応するマットレス２０２の上部２０２ａの側部に沿って設けられている。そして、サイドレール２０４のマットレス２０２中央部付近のフット側端部２０４ａは、ベッド内側に円弧状に湾曲して形成した湾曲部２４１が構成されている。湾曲部２４１は把持可能に構成される。
【００４５】
そして、湾曲部２４１は、第１実施形態と同様に、フット側端部２０４ａの先端に向かうに連れて、マットレス２０２の床面に対して低くなるように構成されている。
【００４６】
なお、第２実施形態のサイドレール２０４の形状およびベッドへの取付け構造は、第１実施形態のサイドレール４の形状およびベッドへの取付け構造とほぼ同様な構成を有するものとして、第１実施形態の説明を参照するものとする。
【００４７】
次に、第２実施形態のサイドレール２０４を利用してベッド使用者が姿勢を変える動作について説明する。
【００４８】
ベッド使用者Ｐがベッド２００上で仰臥位から端座位に姿勢を移行する場合は、図９に示す状態から、ベッド使用者Ｐはサイドレール２０４の湾曲部２４１の掴み易い位置を握って上体を起こすことができる。
【００４９】
このとき、サイドレール２０４の湾曲部２４１は、ベッド内側に向かい湾曲しているため、ベッド使用者Ｐが手を伸ばして掴み易い向きになっている。
【００５０】
そして、ベッド使用者Ｐは、湾曲部２４１を掴んで上体を支えながらサイドレール２０４のフット側端部２０４ａ側から足を下ろして、端座位の姿勢に容易に移行することができる。
【００５１】
このとき、マットレス２０２の形状が中央部付近で上部２０２ａの幅方向寸法Ｗ１よりも下部２０２ｂの幅方向寸法Ｗ２が狭く形成され、サイドレール２０４のフット側端部２０４ａがマットレス２０２の上部２０２ａの側部の形状に沿ってベッド内側に向かい湾曲して構成されているので、ベッド使用者Ｐが端座位の状態におけるマットレス２０２の下部２０２ｂの側端より外側に湾曲部２４１が位置するため、ベッド使用者Ｐは上体を安定して保持することができる。そして、ベッド使用者Ｐは、サイドレール２０４に動作を邪魔することなく、容易に次の姿勢へ移行することができる。
【００５２】
以上のように構成したので、第２実施形態によれば、マットレス２０２と、マットレス２０２の側部にサイドレール２０４が設けられたベッド２００において、マットレス２０２の構成を、上部２０２ａの幅方向寸法Ｗ１よりも下部２０２ｂの幅方向寸法Ｗ２が狭くなるように構成し、サイドレール２０４をベッド使用者Ｐの上体部に対応するマットレス２０２の上部２０２ａの側部に沿って設け、フット側端部２０４ａをマットレス２０２中央部付近でベッド内側に円弧状に湾曲して形成した湾曲部２４１を構成したので、第１実施形態のサイドレール４による作用効果に加えて、ベッド使用者Ｐが端座位の状態におけるマットレス２０２の下部２０２ｂの側端より外側に湾曲部２４１が位置するため、ベッド使用者Ｐが仰臥位から端座位に姿勢を変えるとき、端座位から立位に姿勢を変えるとき、またはその逆に姿勢を変えるときに、サイドレール２０４を掴み易くできるので、姿勢を変化させる動作を安定して行うことができる。
【００５３】
（第３実施形態）
次に、本発明の第３実施形態について図面を参照して説明する。
図１０は本発明の第３実施形態に係るサイドレールの構造を備えたベッドの構成を示す説明図である。
【００５４】
第３実施形態は、図１０に示すように、マットレス３０２と、マットレス３０２の側部にサイドレール３０４が設けられたベッド３００において、矩形状とは異なるマットレスの形状に対応して、本発明の特徴的なサイドレールの構造を採用したものである。
【００５５】
マットレス３０２は、図１０に示すように、長手方向の側部の中央部付近には内側に凹んだ凹部３０２ｃ形成され、その凹部３０２ｃを境に、ベッド使用者Ｐの上体部に対応する上部３０２ａと、ベッド使用者Ｐの脚部を含む下体部に対応する下部３０２ｂが形成されている。
【００５６】
すなわち、マットレス３０２の概ねの形状は、長手方向の中央部付近が凹んで上部３０２ａが広く下部３０２ｂが狭い、従来のマットレスのような四角形ではない形状（例えば、中央部付近がくびれた「こけし」のような形状等）を呈している。
【００５７】
具体的には、マットレス３０２の上部３０２ａは、ヘッド側の幅方向寸法Ｗ１１より中央付近の幅方向寸法Ｗ１２を大きくしてベッド使用者Ｐの上体の動作範囲を広くとっている。
【００５８】
マットレス３０２の下部３０２ｂは、幅方向寸法Ｗ１３を上部３０２ａのヘッド側の幅方向寸法Ｗ１２よりも狭くなるように構成されている。
【００５９】
マットレス３０２の中央部付近の凹部３０２ｃは、幅方向寸法Ｗ１４を下部３０２ｂの幅方向寸法Ｗ１３よりも狭くなるように構成されている。
【００６０】
マットレス３０２の上部３０２ａの中央部付近の角部３０２ａ１が凸形状に形成されている。
【００６１】
サイドレール３０４は、図１０に示すように、ベッド３００の長手方向の側部のヘッド側から中央部付近にわたり、ベッド使用者Ｐの上体部に対応するマットレス３０２の上部３０２ａの側部に沿って設けられている。そして、サイドレール３０４のマットレス３０２中央部付近のフット側端部３０４ａは、ベッド内側に円弧状に湾曲して形成した湾曲部３４１が構成されている。湾曲部３４１は把持可能に構成される。
【００６２】
そして、湾曲部３４１は、第１実施形態および第２実施形態と同様に、フット側端部３０４ａの先端に向かうに連れて、マットレス３０２の床面に対して低くなるように構成されている。
【００６３】
なお、第３実施形態のサイドレール３０４の形状およびベッドへの取付け構造は、第１実施形態のサイドレール４の形状およびベッドへの取付け構造とほぼ同様な構成を有するものとして、第１実施形態の説明を参照するものとする。
【００６４】
次に、第３実施形態のサイドレール３０４を使用してベッド使用者が姿勢を変える動作について説明する。
【００６５】
ベッド使用者Ｐがベッド３００上で仰臥位から端座位に姿勢を移行する場合は、図１０に示す状態から、ベッド使用者Ｐはサイドレール３０４の湾曲部３４１の掴み易い位置を握って上体を起こすことができる。
【００６６】
このとき、サイドレール３０４の湾曲部３４１は、ベッド内側に向かい湾曲しているため、ベッド使用者Ｐが手を伸ばして掴み易い向きになっている。
【００６７】
そして、ベッド使用者Ｐは、湾曲部３４１を掴んで上体を支えながらサイドレール３０４のフット側端部３０４ａ側から足を下ろして、端座位の姿勢に容易に移行することができる。
【００６８】
このとき、マットレス３０２の中央部付近に凹部３０２ｃが形成されて、凹部３０２ｃの幅方向寸法Ｗ１４が上部３０２ａの幅方向寸法Ｗ１２や下部３０２ｂの幅方向寸法Ｗ１３よりも狭く形成され、サイドレール３０４のフット側端部３０４ａがマットレス３０２の上部３０２ａの側部の形状に沿ってベッド内側に向かい湾曲して構成されているので、ベッド使用者Ｐが端座位の状態におけるマットレス３０２の下部３０２ｂの側端より外側に湾曲部３４１が位置するため、ベッド使用者Ｐは上体を安定して保持することができる。そして、ベッド使用者Ｐは、サイドレール３０４に動作を邪魔することなく、容易に次の姿勢へ移行することができる。
【００６９】
以上のように構成したので、第３実施形態によれば、マットレス３０２と、マットレス３０２の側部にサイドレール３０４が設けられたベッド３００において、マットレス３０２の構成を、上部３０２ａのヘッド側の幅方向寸法Ｗ１１より中央付近の幅方向寸法Ｗ１２を大きくしてベッド使用者Ｐの上体の動作範囲を広くして、下部３０２ｂの幅方向寸法Ｗ１３を上部３０２ａのヘッド側の幅方向寸法Ｗ１２よりも狭くなるように構成し、中央部付近の凹部３０２ｃの幅方向寸法Ｗ１４を下部３０２ｂの幅方向寸法Ｗ１３よりも狭くなるように構成し、サイドレール３０４をベッド使用者Ｐの上体部に対応するマットレス３０２の上部３０２ａの側部に沿って設け、フット側端部３０４ａをマットレス３０２中央部付近でベッド内側に円弧状に湾曲して形成した湾曲部３４１を構成したので、第１実施形態のサイドレール４による作用効果に加えて、ベッド使用者Ｐが端座位の状態におけるマットレス３０２の下部３０２ｂの側端より外側に湾曲部３４１が位置するため、ベッド使用者Ｐが仰臥位から端座位に姿勢を変えるとき、端座位から立位に姿勢を変えるとき、またはその逆に姿勢を変えるときに、サイドレール３０４を掴み易くできるので、姿勢を変化させる動作を安定して行うことができる。
【００７０】
（第４実施形態）
次に、本発明の第４実施形態について図面を参照して説明する。
図１１は本発明の第４実施形態に係るサイドレールの構造を備えたベッドの構成を示す説明図、図１２は前記サイドレールをベッド下方に格納した状態を示す説明図である。
【００７１】
第４実施形態は、第３実施形態のサイドレールの構成に加えて、サイドレールをベッド下方に格納可能に構成したことを特徴とするものである。
【００７２】
第４実施形態は、図１１に示すように、マットレス４０２と、マットレス４０２の側部にサイドレール４０４が設けられたベッド４００において、サイドレール４０４の構造として、本発明の特徴的なサイドレールの構造を採用したものである。
【００７３】
マットレス４０２は、第３実施形態のマットレス３０２と同様な形状を有するため、第３実施形態のマットレス３０２の説明を参照するものとする。
【００７４】
サイドレール４０４は、図１０に示す第３実施形態のサイドレール３０４と同様に、ベッド使用者Ｐの上体部に対応するように、ベッド４００の長手方向の側部のヘッド側から中央部付近にわたり設けられている。そして、サイドレール４０４は、図１１，図１２に示すように、支持部材４０７によりベッドフレーム４０３の側面に取付けられている。
【００７５】
支持部材４０７は、サイドレール４０４の下部の長手方向の中央部を支持するように構成されている。そして、支持部材４０７は、図１１，図１２に示すように、リンク機構によりサイドレール４０４をベッド４００の側部に沿って上下方向に昇降可能に構成されている。
【００７６】
なお、第４実施形態のサイドレール４０４の形状は、第３実施形態のサイドレール３０４の形状とほぼ同様な構成を有するものとして、第３実施形態の説明を参照するものとする。
【００７７】
以上のように構成したので、第４実施形態によれば、マットレス４０２と、マットレス４０２の側部にサイドレール４０４が設けられたベッド４００において、第３実施形態のサイドレール３０４の構成に加えて、支持部材４０７によりサイドレール４０４をベッド下方に格納可能に構成したので、第３実施形態のサイドレール３０４による作用効果に加えて、サイドレール４０４を使用しない時に、サイドレールを取り外すことなく、ベッド４００側部下方に省スペースで格納することができる。
【００７８】
なお、本発明は、上述した実施形態や変形例に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【００７９】
例えば、医療用、介護用、家庭用のベッド等に用いられるマットレスは、使用者の体型、ベッド設置環境、ベッドに設置される周辺機器、臨床者の作業性、その他の要求などによる形状は従来の四角形に限定されない。従って、本発明のサイドレールの構造を、第２実施形態や第３実施形態に示すように、四角形ではない異形状のマットレスに対応して構成することで、さまざまな要求への対応が可能となる。
【産業上の利用可能性】
【００８０】
本発明のサイドレールの構造は、医療用、介護用、家庭用のベッド等に利用することができる。
【符号の説明】
【００８１】
１，２００，３００，４００  ベッド
２，２０２，３０２，４０２  マットレス
４，２０４，３０４，４０４  サイドレール
４ａ，２０４ａ，３０４ａ  フット側端部（端部）
４ｂ  開口部
４ｃ  上端縁
７，４０７  支持部材
４１，２４１，３４１  湾曲部
２０２ａ，３０２ａ  上部
２０２ｂ，３０２ｂ  下部
３０２ｃ  凹部
Ｐ  ベッド使用者
【図１】
2015123175.tif 000003
【図２】
2015123175.tif 000004
【図３】
2015123175.tif 000005
【図４】
2015123175.tif 000006
【図５】
2015123175.tif 000007
【図６】
2015123175.tif 000008
【図７】
2015123175.tif 000009
【図８】
2015123175.tif 000010
【図９】
2015123175.tif 000011
【図１０】
2015123175.tif 000012
【図１１】
2015123175.tif 000013
【図１２】
2015123175.tif 000014